(57)【特許請求の範囲】
【請求項１】
電極であって、当該電極が：
第１面及び第２面を有する電極本体であって、第１面が、熱シール可能な材料を含む可撓性障壁層を有しており、第２面が、導電層を有する、電極本体と；
前記電極本体上に配置されるとともに、前記導電層と電気的に接続される導電性ゲル層と；
前記ゲル層の外周部の周りで前記可撓性障壁層にシールされる剥離ライナーと；
前記電極本体の外周の第１端部上に配置された第１の引剥用タブと；
前記電極本体の外周の第２端部上に配置された第２の引剥用タブと；
第２端部上で前記電極本体の前記可撓性障壁層に接続されるとともに、前記電極本体の第１面から第２面への通路を介して医療装置に前記電極を電気的に接続するようなリード線と；
該リード線と前記可撓性障壁層との間のひずみを解放する構成となるように、第２の引剥用タブを前記リード線に接合させるようなひずみ緩和タブと；
を備える、
電極。
【請求項２】
前記リード線は、第２の引剥用タブと前記可撓性障壁層とを重ね合わせるように配置されている、
請求項１に記載の電極。
【請求項３】
第２の引剥用タブは、前記可撓性障壁層と一体にされる、
請求項１に記載の電極。
【請求項４】
第２の引剥用タブは、前記可撓性障壁層に接着接合される、
請求項１に記載の電極。
【請求項５】
電極用途指示をユーザに提供するために、前記可撓性障壁層の第１面に印刷された図形をさらに含む、
請求項１に記載の電極。
【請求項６】
前記剥離ライナーは、実質的に硬質である
請求項１に記載の電極。
【請求項７】
電極システムであって、当該電極システムが：
実質的に硬質の非導電性剥離ライナーと；
該非導電性剥離ライナー上に配置された一対の電極と；を備えており、
各電極は、
第１面及び第２面を有する電極本体であって、第１面は、シール可能な外周部を含む可撓性且つ湿潤性を有する障壁層を有しており、第２面は、導電層を有する、電極本体と、
前記導電層と前記非導電性剥離ライナーとの間に介在する導電性ゲル層と、
前記電極本体の外周の第１端部上に配置された第１の引剥用タブと、
前記電極本体の外周の第２端部上に配置された第２の引剥用タブと、
第２端部において、前記電極の第１面を通って第２面に接続されるとともに、前記電極を医療装置に電気的に接続するようなリード線と、
該リード線と前記可撓性障壁層との間のひずみを解放する構成となるように、それぞれの第２の引剥用タブを前記リード線に接合させるようなひずみ緩和タブと、
を有し、
各電極の前記湿潤性障壁層の外周部は、各ゲル層と外部環境との間に気密シールを形成するように、前記剥離ライナーにシールされる、
電極システム。
【請求項８】
前記電極は、前記非導電性剥離ライナーの対向側にさらに配置されており、さらに、前記一対の電極は、前記非導電性剥離ライナー内に配置されるとともに、前記ゲル層を通じて両方の電極と電気的に接触するような導電性要素を通じて互いに電気的に接触している、
請求項７に記載の電極システム。
【請求項９】
各電極において、前記リード線は、第２の引剥用タブと前記可撓性障壁層とを重ね合わせるようにさらに配置されている、
請求項７に記載の電極システム。
【請求項１０】
各電極において、第２の引剥用タブは、前記可撓性障壁層と一体にされる、
請求項７に記載の電極システム。
【請求項１１】
各電極において、第２の引剥用タブは、前記可撓性障壁層に接着接合される、
請求項７に記載の電極システム。
【請求項１２】
電極用途指示をユーザに提供するために、各電極の前記可撓性障壁層の第１面に印刷された図形をさらに含む、
請求項７に記載の電極システム。
【発明の詳細な説明】
【技術分野】
【０００１】
本発明の態様は、一般的に医療器具用の電極に関し、より具体的には、取り扱い易く且つ患者に貼り付け易い改良された電極パッドを有する除細動／ペーシング装置又は心臓モニターに関する。
【背景技術】
【０００２】
心臓突然死は、米国での死亡原因の主要な位置を占める。ほとんどの心臓突然死が、心室細動（ＶＦ）によって引き起こされており、それは、心臓の筋繊維が協調することなく収縮し、それによって身体への正常な血流が遮断される。ＶＦについて知られている処置は、電気的除細動のみであり、この処置は、電気パルスを、患者の心臓に印加する。電気ショックは、心臓の拍動を再開させるために自発的に生じる組織的な心筋の脱分極が可能となるように、心筋細胞のクリティカルマス(critical  mass)を脱分極させることによって、（「除細動」と呼ばれるプロセスにおいて）異常な電気的活動状態の心臓を正常な状態にする。
【０００３】
電気的除細動を提供する一つの方法は、「ＡＥＤ」と総称される自動又は半自動体外式除細動器によって提供され、このＡＥＤは、心臓からのＥＣＧ（心電図）信号を分析し、治療可能な不整脈を検出すると、患者を除細動する又は患者の心臓の外部ペーシングを提供するために、胴体に貼り付けた電極を通じて患者の心臓に電気パルスを送る。心臓突然死の状態にある患者に対して、訓練を受けていないか又は最低限の訓練を受けたオペレータによるＡＥＤの使用は、スピードが重視される操作となる。患者に対して生存の機会を左右する責任を担っているため、ＶＦの発症後の短い時間内に電気パルスを送達しなければならない。
【０００４】
患者のＥＣＧ信号の受信と、適切な治療パルス又は電流の印加とが、導電性パッドを通じて又は患者の胴体に貼り付けられるとともにＡＥＤベースユニットに接続された電極を通じて行われる。いくつかのＡＥＤｓは、救助中に簡易に展開させるために、ベースユニットに予め接続された電極と共に格納されている。これらのタイプのＡＥＤｓは、理想的には、オペレータが、ＡＥＤの電源を入れ、電極を剥離ライナーから引剥がし、それら電極を患者に貼り付けるのみで事足りる。ＡＥＤは、その後、患者のＥＣＧを分析して、必要に応じて除細動ショックのために装置を作動可能にさせ、オペレータにショックボタンを押すようにアドバイスする。
【０００５】
電極は、典型的には、プラスチック製ディスク等の非導電性ベース層と、ＡＥＤベースユニットによって電極に伝達される電流を流通させる導電層とを有する。非導電性ベース層は、典型的には、ウレタンフォーム、又はポリエステル、或いは電気絶縁性を有するとともに構造的完全性を電極に提供するポリオレフィンラミネートのような薄い、可撓性ポリマー材料で構成されている。従来、このような電極は、電気ショックの送達の前に及び電気ショックの送達中に患者の胸部に電極を接着するために使用される接着剤の層を含んでいた。この接着材料は、典型的には、電極から患者の胸部に流れる電流の低抵抗通路を提供するために、材料の導電率を増大させるイオン性化合物を含有する粘性の水ベースのゲル材料である。
【０００６】
自動体外式除細動器と併用される電極は、多くの場合、必要性が生じるまでに比較的長期間保存されている。この期間中に、接着材料は、乾燥することがある。乾燥によって、接着材料の導電率が低下するという点で、接着材料の有効性を減少させており、それが次に、電極と皮膚との間の接触領域におけるインピーダンスを上昇させることになる。この増加したインピーダンスによって、心臓に到達する電流がより少なくなるという結果をもたらす。乾燥の問題によって、接着材料は、典型的には、湿気不浸透性の筐体の環境から離されてシールされている。例えば、マサチューセッツ州アンドーバーのフィリップス・ヘルスケアによって製造されているＤＰ形式の電極は、密封されたホイル・パウチの内部に保存されており、この電極の接着材料は、パウチの内側において剥離ライナーに接触させて配置されている。ユーザはパウチを引裂いて開き、電極を取り出し、電極を剥離ライナーから引剥がす。ＤＰ形式の電極はいかなる引剥用タブも必要ないため、ユーザはこれらパウチの引裂きからの一連の機能のために電極ワイヤを保持している。
パウチを必要としないような１つの従来技術の電極は、Bishayらによる”Independently  deployable  sealed  defibrillator  electrode  pad  and  method  of  use”という表題の、同一譲受人の欧州特許出願公開第０９８３７７５号明細書に説明されている。このBishayらの電極は、可撓性剥離ライナーに対するその外周部の周りでシールされている。プルタブ又は把持具によって、電極を剥離ライナーから離れる方向に引っ張ることによって、ユーザが１ステップで電極を展開することができる。
【発明の概要】
【発明が解決しようとする課題】
【０００７】
予め接続された電極及び電極の長期保存の利点を組み合わせた電極包装の別の形態は、同時係属中の同一譲受人の”Self-Storing  Medical  Electrodes”という表題の、米国特許出願第１０／５９９，１１３号明細書に説明されており、この文献は参照により本明細書に組み込まれる。図１は、この電極のデザインを示している。このデザインでは、各電極は、可撓性及び湿気不浸透性を有する障壁層１４を有しており、この障壁層１４は、その外周部２５の周りで硬質剥離ライナー２２に熱シールされる。各電極の導電性ゲル層１８は、障壁層１４、熱シール、及び硬質剥離ライナー２２によって形成された筐体内でシールされるので、乾燥から保護される。電極ワイヤ４０は、リベット４２によって障壁層１４を介して、障壁層１４とゲル層１８との間に存在する導電箔層１６に取り付けられている。引剥用タブ１４’は、電極を剥離ライナーから引剥がすために使用されることを意味する。しかしながら、多くの場合、救助者は、切迫した救助に気が向いており、電極を剥離ライナーから取り外すために、引剥用タブ１４’とは反対側の端に接続された電極ワイヤ４０を直接的に引っ張ることがある。
【０００８】
引剥した後に、電極を保持するために電極のワイヤ端部にタブが全く存在しないため、一つの潜在的な問題が発生する。障壁層１４とワイヤ４０との下側に接着剤を有していない小さな領域３８が存在するが、この領域３８は、電極の展開前にはユーザには視認できないので、ユーザは、その領域３８の端部の側で電極を把持することを避けてしまう。また、ユーザが、引剥用タブを全く有していない従来技術の電極に精通している場合には、彼らユーザは、電極ワイヤを引っ張ることによって電極を剥離ライナーから引剥がすことに既に慣れてしまっている可能性がある。これらの両方の理由のために、ユーザは、ワイヤ端部においてワイヤによって引剥がされた電極を保持する可能性が強まる。このことによって、患者に貼り付けられる電極をより困難で扱い難いものにしている。
【０００９】
電極ワイヤ４０が、電極を剥離ライナー２２から引剥がすために用いられるときに、もう一つの潜在的な問題が発生する。図５ａは、ワイヤ４０が引っ張られたときに、引剥がし作用がほとんど又は全く生じないことを示している。代わりに、剥離ライナー２２と障壁層１４との間の熱シール部は、接着領域全体に亘って実質的に引張応力を受けている。シールを破断させるために必要な力が、結果として非常に大きくなり、ユーザが電極を展開することを困難にさせている。障壁層１４が、結果的に、意図された熱シール接合部分とは異なる場所で切れた場合に、電極への損傷がまた、このような大きな引張力の下で発生することがある。
【課題を解決するための手段】
【００１０】
本発明の原理によれば、改良された電極と電極アセンブリとが、使用に際して電極の展開中に、取り扱い及び潜在的な損傷の問題点を改善するために提供される。電極のワイヤ端部に位置する第２の引剥用タブを有する電極バッキング層が、説明されている。この第２の引剥用タブは、心臓救命の緊急時に、ユーザが直感的に把握するものである。展開中に第１の引剥用タブと第２の引剥用タブとの両方を把握することで、救助者は、より簡易且つ正確に電極を患者の胴体に付着させることができる。
【００１１】
本発明のさらなる態様によれば、電極ワイヤの直下に配置された引剥用タブを有する電極が提供される。この引剥用タブはまた、電極ワイヤの代わりに、引剥がすために直感的に把握するようになっている。引剥用タブを使用することによって、電極を剥離ライナーから引剥がすために必要な力を大幅に低減させるとともに、電極自体への潜在的な損傷も回避することができる。
【００１２】
本発明のさらに別の態様によれば、電極の引剥用タブが、電極リード線に接触して配置されている。引剥用タブとリード線とが、一緒に接合されおり、それによって、ワイヤが、電極を剥離ライナーから引剥がすために引っ張られるときに、引剥用タブは、電極に対するひずみ緩和タブとして機能する。電極リード線から熱シール領域へのせん断要素として作用するので、この引剥用タブは、領域全体で引張力を受ける代わりに、熱シール領域の縁部を持ち上げる。こうして、電極への損傷がないような簡易な引剥がしが、保証される。
【図面の簡単な説明】
【００１３】
【図１】硬質剥離ライナーに熱シールされた可撓性電極バッキング層によって形成された湿気不浸透性の障壁筐体を有するような、既存の除細動器用電極を示す図である。
【図２】電極のほぼ反対側に２つの引剥用タブを有するような、本発明の医療用電極を示す図である。
【図３】硬質剥離ライナーの対向側にシールされた２つの電極を有しており、各電極が電極ワイヤ端部に配置された少なくとも一つの引剥用タブを含むような、本発明の自己収容型医療用電極システムを示す図である。
【図４ａ】組立てられた状態で、電極表面上にユーザ用図形を表示する、図３の自己収容型医療用電極システムを示す図である。
【図４ｂ】組立てられた状態で、電極表面上にユーザ用図形を表示する、図３の自己収容型医療用電極システムの別の実施形態を示す図である。
【図５ａ】電極を剥離ライナーから引剥がすような既存の除細動器用電極の電極ワイヤを使用した結果を示す図である。
【図５ｂ】電極を剥離ライナーから引剥がすような独創性を有する除細動器用電極の電極ワイヤを使用した改良された結果を示す図である。
【図６】クラムシェル型の硬質剥離ライナーの同じ側にシールされた２つの電極を有しており、各電極が電極ワイヤ端部に配置された少なくとも一つのプルタブを含むような、本発明の自己収容型医療用電極システムの代替実施形態を示す図である。
【発明を実施するための形態】
【００１４】
図２は、本発明の一実施形態を示す。電極１００は、可撓性電極本体１０２と導電性ゲル層１０８とを備える。電極本体１０２は、導電層１０６に接合された可撓性及び湿気不浸透性を有する障壁層１０４から構成される。導電層１０６は、導電性ゲル層１０８と電気的に接触して配置されている。電極リード線１１８は、リベット１２０によって障壁層１０４を通じて導電層１０６に取り付けられる。リベット１２０は、障壁層１０４のリベット穴の間に湿気不浸透性のシールを提供する。
【００１５】
電極本体１０２は、熱シール外周部１１２において硬質剥離ライナー１１０に熱シールされる。導電性ゲル層１０８は、このように、障壁層１０４、熱シール材料、及び硬質剥離ライナー１１０によって形成された筐体内でシールされるので、乾燥から保護される。
【００１６】
障壁層１０４は、２つの引剥用タブをさらに備える。第１の引剥用タブ１１４が、可撓性障壁材料１０４の一端に配置される。第２の引剥用タブ１１６が、第１の引剥用タブ１１４とほぼ反対側の可撓性障壁材料１０４の端部に配置される。第２の引剥用タブ１１６は、電極１００を剥離ライナー１１０から引剥がすために、リード線１１８の代わりに第２の引剥用タブ１１６を直観的に把握するように構成されている。このような引剥用タブ１１６の構成は、引剥用タブ１１４より大きく且つより長いサイズ、特徴的な着色、又は図形指示をそのタブの上に配置するように拡張できる。
【００１７】
好ましくは、第２の引剥用タブ１１６は、リベット１２０に対する接続部に隣接するリード線１１８と同じ場所に配置される。また、第２の引剥用タブ１１６は、オプションのひずみ緩和タブ１２２と共にリード線１１８に取り付けることができる。このひずみ緩和タブ１２２は、以下でさらに詳細に説明するように、電極本体１０２のワイヤ端部からの電極引剥し動作を向上させる働きをする。ひずみ緩和タブ１２２は、引き裂きに対して抵抗力を有する材料で構成される。ひずみ緩和タブ１２２は、第２の引剥用タブ１１６とリード線１１８とに接着接合してもよく、或いは、第２の引剥用タブ１１６とリード線１１８との間の織布等にいくつかの取付構造を設けることができる。あるいはまた、ひずみ緩和タブ１２２は、第２の引剥用タブ１１６をリード線１１８に接合する接着剤のみから構成されてもよい。
【００１８】
電極本体１０２、ゲル層１０８、剥離ライナー１１０、リベット、及び熱シールを構成するために使用される材料及び製造方法は、同時係属中の同一譲受人の米国特許出願第１０／５９９，１１３号明細書に説明されている。また、引剥用タブ１１４，１１６のいずれかは、可撓性障壁材料１０４と一体的に形成してもよく、又は製造時に可撓性障壁材料１０４に接合されるような別個の部品としてもよい。障壁材料１０４に別個に接合される場合には、第２の引剥用タブ１１６を、さらに、リード線１１８及び／又はリベット１２０を重ね合わせるように配置することができる。
【００１９】
心臓の緊急時に使用に際して格納された電極を展開させるために、ユーザは、電極を剥離ライナー１１０から引剥がすように、第１の引剥用タブ１１４を把握することができる。ユーザは、さらに又は代わりに、使用の際に電極を剥離ライナー１１０から引剥がすように、第２の引剥用タブ１１６を把握することができる。電極１００を剥離ライナー１１０から取り外した後に、ユーザは、両方の引剥用タブを保持して、患者の胴体上の適切な位置に電極を案内する。この制御手段は、従って、従来技術の引剥用タブを片側のみ有する(one-peel-tab)電極又は引剥用タブを有しない(no-peel-tab)電極よりも改善されている。
【００２０】
ユーザが、電極１００を剥離ライナー１１０から引剥がすために、リード線１１８を把握した場合には、オプションのひずみ緩和タブ１２２が、損傷から電極１００を保護する。図５ｂに確認されるように、リード線１１８の引張り部は、ひずみ緩和タブ１２２によって同様に第２の引剥用タブ１１６を持ち上げる。第２の引剥用タブ１１６が、剥離ライナー１１０から離れる方向に回転するにつれて、熱シール外周部１１２における接合は、徐々に持ち上げる方向の力を受け、この力は、接合部のより外側の領域で開始する。図５ｂに確認されるように、電極本体１０４，１０６又はリベット１２０のいかなる部分も、この構成の下で応力を受けていない。従って、大幅に少ない引剥し力を可能にすることに加えて、ひずみ緩和タブ１２２は、電極への潜在的な損傷も防止する。
【００２１】
図３は、実質的に単一で硬質の非導電性剥離ライナー１１０の両側に配置された一対の電極を有する電極システムの一実施形態を示す。得られたアセンブリは、格納及び使用が容易で、心臓の緊急時に生じた残りくずを最小限に抑える。
【００２２】
図３の電極の各々は、先に説明し且つ図２に示されるように、電極１００と同様に構成されている。具体的には、一対の電極の各々は、第１面及び第２面を有する電極本体１０２，２０２を備えており、ここで、第１面は、シール可能な外周部を含む可撓性湿潤障壁層１０４，２０４を有しており、第２面は、導電層１０６，２０６を有する。各電極は、導電層１０６，２０６と非導電性剥離ライナー１１０との間に介在する導電性ゲル層１０８，２０８を備える。各ゲル層１０８，２０８は、それぞれの導電層１０６，２０６と電気的に接触している。各湿潤性障壁層１０４，２０４は、剥離ライナー１１０上のそのシール可能な外周部において対応するシール面１２２，２１２にシールされており、それによって、気密シールが、各ゲル層１０８，２０８と外部環境との間に形成される。
【００２３】
各電極の導電層１０６，２０６は、リベット１２０，２２０によって第１面を通じてリード線１１８，２１８に接続される。リベット１２０，２２０は、障壁層１０４，２０４のリベット穴の間に湿気不浸透性シールを提供する。各リード線１１８，２１８の他端が、装置コネクタ１５０に接続される。このコネクタ１５０は、除細動器等の医療装置への電気接続を提供するように形成されている。
【００２４】
硬質剥離ライナー１１０は、この剥離ライナーの厚さの間に導電通路を提供するような導電性要素１３６を随意に含むことができる。電極が剥離ライナー１１０に取り付けられた状態で、電気回路は、コネクタ１５０からリード線１１８、導電層１０６、ゲル層１０８、導電性要素１３６、ゲル層２０８、導電層２０６、及びリード線２１８を介してコネクタ１５０に戻るように形成されることが図３で確認することができる。この回路は、接着性ゲルの状態を感知するとともに、電極の一方が剥離ライナー１１０から取り外されたことを感知するように付属の除細動器によって使用することができる。
【００２５】
図３は、各電極が、電極本体の外周の第１端部上に配置された第１の引剥用タブ１１４，２１４と、それぞれの電極本体の外周の第２端部上に配置された第２の引剥用タブ１１６，２１６とを有していることを示す。引剥用タブは、それぞれのバッキング層１０４，２０４の一部として形成されてもよいし、別個の部品として形成され、製造中にバッキング層１０４，２０４に貼り付けてもよい。第２の引剥用タブ１１６，２１６の各々は、図２の実施形態について前述したのと同様の方法で、ひずみ緩和タブ１２２，２２２によってそれぞれのリード線１１８，２１８に随意に取り付けることができる。
【００２６】
図４ａは、組立てられた図３の電極システムの一実施形態を示しており、この図は、さらに、ユーザにシステムの外観を示す。この実施形態では、患者への電極の適切な配置を図示する図形３１０が、障壁層１０４上に配置されている。この図形３１０はまた、引剥がしの際にリード線の代わりに第２の引剥用タブ１１６の使用をユーザに促すように、第２の引剥用タブ１１６を強調している。他方の電極の適切な配置を図示する同様の図形が、剥離ライナー１１０の裏面に存在する電極に配置することができる。使用される場合に、図形３１０は、ひずみ緩和タブ１２２上にさらに印刷することができる。
【００２７】
図４ｂは、組立てられた図３の電極システムの別の実施形態を示す。この実施形態は、第２の引剥用タブ１１６が、電極リード線と同じ場所に配置されるが、このリード線の下部に配置されない構成を示している。障壁層１０４上に配置された図形３１０は、同様に、患者への電極の適切な配置を示している。図形３１０はまた、引剥がしの際にリード線の代わりに第２の引剥用タブ１１６の使用をユーザに促すように、第２の引剥用タブ１１６を強調している。他方の電極の適切な配置を図示する同様の図形が、剥離ライナー１１０の裏面に存在する電極上に配置することができる。
【００２８】
図３の電極と電極システムの代替構成が、本発明の特許請求の範囲内に含まれることが想定される。例えば、図６は、本発明の自己収容型医療用電極システムの代替実施形態を示す図であり、この代替実施形態は、クラムシェル型の硬質剥離ライナーの同じ側にシールされた２つの電極を有する。各電極は、先に説明され且つ図２及び図３に示される電極と同様に構成されている。図６の剥離ライナーは、クラムシェルヒンジ３６０によって蝶番式に取り付けられた２つのクラムシェル剥離ライナーの半体３２０，３３０から構成される。剥離ライナーアセンブリは、ヒンジ３６０の周囲で畳まれるとともに、内部に格納された電極を保護するために、クラムシェル留め具３４０で閉じるように留めてもよい。
【００２９】
図６の実施形態は、可撓性バッキング層１０４，２０４のそれぞれの外周部の周りでそれぞれのクラムシェル半体３２０，３３０にシールされた電極をさらに備える。各リード線１１８，２１８とオプションの第２の引剥用タブ１１６，２１６の部分とが、コネクタ１５０において除細動装置に接続するために、クラムシェル半体の隙間を通じて延びている。最後に、導電性要素３５０は、クラムシェルが閉じられたときに一緒に導通する２つの部分から構成されている。各導電性要素は、可撓性バッキング層１０４，２０４の下にある導電層への通路を含む。従って、図３に記載したのと同様の電極状態回路が形成される。
【符号の説明】
【００３０】
１４      障壁層−従来技術
１４’    引剥用タブ−従来技術
１６      箔層−従来技術
１８      ゲル層−従来技術
２２      硬質剥離ライナー−従来技術
２５      熱シール外周部−従来技術
３８      領域−従来技術
４０      電極ワイヤ−従来技術
４２      リベット−従来技術
１００    電極
１０２    電極本体
１０４    可撓性障壁層
１０６    導電層
１０８    ゲル層
１１０    剥離ライナー
１１２    熱シール外周部
１１４    第１の引剥用タブ
１１６    第２の引剥用タブ
１１８    リード線
１２０    リベット
１２２    ひずみ緩和タブ
１３６    導電性要素
１５０    電極コネクタ
２００    電極システム
２０２    第２電極本体
２０４    第２電極の可撓性障壁層
２０６    第２電極の導電層
２０８    第２電極のゲル層
２１２    第２電極の熱シール外周部
２１４    第２電極の第１の引剥用タブ
２１６    第２電極の第２の引剥用タブ
２１８    第２電極のリード線
２２０    第２電極のリベット
２２２    第２電極のひずみ緩和タブ
３００    代替電極システム
３１０    図形
３２０    クラムシェル剥離ライナー第１半体
３３０    クラムシェル剥離ライナー第２半体
３４０    クラムシェル留め具
３５０    クラムシェル導電性要素
３６０    クラムシェルヒンジ
【図１】
0006046693.tif 000002
【図２】
0006046693.tif 000003
【図３】
0006046693.tif 000004
【図４ａ】
0006046693.tif 000005
【図４ｂ】
0006046693.tif 000006
【図５ａ】
0006046693.tif 000007
【図５ｂ】
0006046693.tif 000008
【図６】
0006046693.tif 000009